(57)【要約】  システムが開示されており、該システムでは、基地局が、ｉ）基地局及び／又はセルを識別するための識別子、並びに、ｉｉ）上記識別子に関連する上記基地局／セルを含む複数の基地局／セルが動作する、エリアに関連づけられた追跡エリアコードを取得する。上記基地局は、上記基地局／セルに関連する後続の手順において上記基地局／セルを一意的に識別するために、上記取得された識別子を上記追跡エリアコードと組み合わせて用いる、ように構成されている。【選択図】図１
2019517226.tif 000002
【特許請求の範囲】
【請求項１】
通信ネットワークのための通信装置によって実行される方法であって、
ｉ）基地局及び前記基地局のセルの少なくとも１つを識別するための識別子、並びに、ｉｉ）前記識別子に関連する前記基地局を含む複数の基地局が動作する、追跡エリアに関連づけられた追跡エリアコードを取得し、
前記追跡エリア内の前記基地局を一意的に識別するために、前記取得された識別子を前記追跡エリアコードと組み合わせて用いる、
方法。
【請求項２】
前記通信装置は、前記識別子及び追跡エリアコードが関連する前記基地局を有する、
請求項１記載の方法。
【請求項３】
前記通信装置は、第１基地局を具備し、
前記方法は、ｉ）第２基地局及び前記第２基地局のセルのうちの少なくとも１つを識別するための他の識別子と、ｉｉ）前記他の識別子が関連する前記第２基地局を含む複数の基地局が動作するエリアに関連づけられた、他の追跡エリアコードとを取得する、ことを含む、
請求項２記載の方法。
【請求項４】
前記通信装置は、第１基地局を具備し、
前記識別子及び追跡エリアに関連する前記基地局は、第２基地局である、
請求項１記載の方法。
【請求項５】
前記取得された識別子及び追跡エリアコードの両方に基づいて、前記第２基地局のためのトランスポートネットワーク層アドレスを調べることを含む、
請求項４記載の方法。
【請求項６】
前記基地局が関わるＸ２手順において前記基地局を識別するために、前記取得された識別子を前記追跡エリアコードと共に用いることを含む、
請求項１から５のいずれか１項に記載の方法。
【請求項７】
前記基地局に関連する自動近隣関係（ＡＮＲ）手順、前記基地局に関連するオペレーション保守（O＆M）手順、前記基地局に関連するＳ１手順、前記基地局に関連するＸｗ手順、前記基地局に関連するＭ２手順、及び、前記基地局に関連する進化型サービングモバイルロケーションセンタ（Ｅ−ＳＭＬＣ）手順の少なくとも１つにおいて、前記基地局を識別するために、前記取得された識別子を前記追跡エリアコードと共に用いることを含む、
請求項１から６のいずれか１項に記載の方法。
【請求項８】
後続の手順の一部として、前記取得された識別子及び前記追跡エリアコードを含むシグナリングメッセージを生成することを含み、
前記追跡エリアコードは、前記取得された識別子にマッチする他の識別子を有する他の基地局から前記取得された識別子に関連する前記基地局を区別するために用意された、適切にフォーマットされた情報要素内に置かれる、
請求項１から７のいずれか１項に記載の方法。
【請求項９】
前記取得された識別子及び前記追跡エリアコードは、自動近隣関係（ＡＮＲ：automatic neighbour relation）テーブルにおいて互いに関連づけられて記憶され、前記取得された識別子にマッチする他の識別子を有する他の基地局から前記取得された識別子に関連する前記基地局を区別するために前記追跡エリアコードが用いられるように、用意される、
請求項１から８のいずれか１項に記載の方法。
【請求項１０】
前記通信装置は、移動管理エンティティ（ＭＭＥ）、オペレーション保守（O＆M）エンティティ、Ｘ２ゲートウェイ、マルチセル／マルチキャストコーディネーションエンティティ（ＭＣＥ）、進化型サービングモバイルロケーションセンタ（Ｅ−ＳＭＬＣ）、及び、無線ローカルエリアネットワーク（ＷＬＡＮ）終端ノードのうちの１つを有する、
請求項１記載の方法。
【請求項１１】
前記基地局は、第１基地局を有し、
前記方法は、
第２基地局及び前記第２基地局のセルの少なくとも１つを識別するための他の識別子を取得し、前記他の識別子は、前記第１基地局を識別するための前記識別子と同じであり、前記第２基地局は、前記第１基地局と異なる追跡エリアに関連づけられ、
前記第２基地局を識別するために、前記他の識別子を前記異なる追跡エリアの追跡エリアコードと組み合わせて用いる、
請求項１から１０のいずれか１項に記載の方法。
【請求項１２】
プログラマブルコンピュータデバイスに請求項１から１１のいずれか１項に記載の方法を実行させる、コンピュータが実行可能な命令群を有する、コンピュータプログラム。
【請求項１３】
通信ネットワークのための通信装置であって、
ｉ）基地局及び前記基地局のセルの少なくとも１つを識別するための識別子、並びに、ｉｉ）前記識別子に関連する前記基地局を含む複数の基地局が動作する、追跡エリアに関連づけられた追跡エリアコードを取得し、
前記追跡エリア内の前記基地局を一意的に識別するために、前記取得された識別子を前記追跡エリアコードと組み合わせて用いる、
ように構成されたコントローラを具備する、
通信装置。
【請求項１４】
請求項１３記載の通信装置と、
少なくとも１つのユーザ機器と、
を具備するシステム。
【発明の詳細な説明】
【技術分野】
【０００１】
本発明は、通信システムに関する。本発明は、これに限定されるものではないが、特に、第３世代パートナーシッププロジェクト（３ＧＰＰ）標準に基づいて動作する無線通信システム及びその装置、又は、その等価物又はその派生物に関連する。本発明は、これに限定されるものではないが、自動的な近隣関係手順（automatic neighbour relation procedures）、並びに、基地局及び／又はそのセルが一意的に識別される必要がある手順に関連する。
【背景技術】
【０００２】
３ＧＰＰ標準の最新の開発は、進化型パケットコア（ＥＰＣ）ネットワーク及び進化型ＵＭＴＳ地上無線アクセスネットワーク（Ｅ−ＴＲＡＮ）のロングタームエボリューション（LTE：Long Term Evolution）と呼ばれている。３ＧＰＰ標準の下では、ＮｏｄｅＢ（又はＬＴＥにおけるｅＮＢ）は、通信デバイスがこれを介してコアネットワークに接続して他の通信デバイス又はリモートサーバと通信する、基地局である。マクロｅＮＢという用語は、１つ又は複数のマクロセル（比較的大きな地理的領域をカバーするセル）を有する基地局を指し、一方、スモールセルという用語は、比較的小さな地理的領域（例えば、家庭又はオフィス及び／又は類似のもの）をカバーするセルを指し、このセルは、しばしばマクロセルと重複する。スモールセル（又はピコセル）は、スモールセルｅＮＢ又はホームｅＮＢ（ＨｅＮＢ）及び／又は同種のものによって、オペレートされる。しかしながら、このようなスモールセルは、しばしば、マクロｅＮＢ（例えば、スモールセルと重なるマクロセルを動作させるマクロ基地局）によって、（間接的に）制御される。したがって、少なくともマクロ基地局の場合、単一の基地局は、多数のセル、例えば、現在のＬＴＥシステムでは基地局当たり最大２５６セルを、動作させる及び／又は制御する可能性がある。簡単にするために、本出願は、そのような複数の基地局を参照するために、基地局という用語を使用する。
【０００３】
各基地局は、固有の基地局識別子（「ｅＮＢ−ＩＤ」など）に関連づけられている。基地局識別子（これは、対応するセル識別子の一部を構成してもよく、又は、対応するセル識別子と同じであってもよい）は、個々のセルを一意に識別するために、使用されてもよい。セル識別子がネットワーク識別子（例えば、公衆陸上移動体ネットワーク（ＰＬＭＮ）識別子）と組み合わされる場合、セル識別子は、グローバルレベルで実質的に一意に識別され得る。３ＧＰＰ技術仕様書（TS）36.300 V13.3.0のセクション8.2に記載されているように、所謂Ｅ−ＵＴＲＡＮセルグローバル識別子（ＥＣＧＩ：E-UTRAN Cell Global Identifier）は、グローバルにセルを識別するために、用いられてもよい。各セルのＥＣＧＩは、セルが属する公衆陸上移動体ネットワーク（ＰＬＭＮ）の識別子と（そのＰＬＭＮ内の）そのセルのセル識別子（ＣＩ：cell identity）とから構成される。Ｅ−ＵＴＲＡＮでは、セル識別子は２８ビットを含み、それはＥ−ＵＴＲＡＮセル識別子（ＥＣＩ：E-UTRAN cell identity）として知られている。マクロセル群（及び、マクロ基地局によって制御されるスモールセル群）の場合、各（Ｅ）ＣＩは、そのセルを制御するマクロ基地局のｅＮＢ ＩＤを（左の２０ビットとして）含む。
【０００４】
通信デバイスは、例えば、携帯電話、スマートフォン、ユーザ機器、パーソナルデジタルアシスタント、ラップトップ／タブレットコンピュータ、ウェブブラウザ、電子ブックリーダなどのようなモバイル通信デバイスであってもよい。このようなモバイル（又は通常静止している）デバイスは、通常、ユーザによって操作される。しかしながら、３ＧＰＰ規格は、所謂「物のインターネット（ＩｏＴ：Internet of Things）」デバイス（例えば、狭帯域ＩｏＴ（ＮＢ−ＩｏＴ）デバイス）をネットワークに接続することを可能にする。ＩｏＴデバイスは、典型的には、種々の測定機器、遠隔測定機器、観測機器、トラッキングトレーシングデバイス、車載安全システム、車両メンテナンススステム、ロードセンサ、デジタルビルボード、ポイントオブセイル（ＰＯＳ）端末、遠隔制御システムのような、自動化された機器を含む。ＩｏＴデバイスは、マシンタイプ通信（ＭＴＣ）通信デバイス又はマシンツーマシン（Ｍ２Ｍ）通信デバイスと呼ばれることもあることが理解されよう。説明を簡単にするために、本出願は、明細書のモバイルデバイスを参照するが、説明された技術は、人間の入力又はメモリに記憶されているソフトウェアの命令によって制御されるか否かに関わらず、データを送信／受信するために通信ネットワークに接続することができる任意の通信デバイス（モバイル及び／又は通常固定の通信デバイス）に実装され得ることが理解されるであろう。
【０００５】
このため、（益々多くのマクロ基地局を配備することによる）広範囲に亘るセルラサービスを提供し、また、（益々多くのセルを介した）増加している通信デバイスにサービスするために、（ホームｅＮＢ及びこれに似たもののような）増加しているスモールセルに関する需要に応える、必要がある。将来的には、モバイルネットワークは、１つのオペレータあたり４００万以上の基地局をサポートし、（基地局あたり、現在標準化されている２５６個のセルと比較して）基地局１台当たり最大１０２４個のセルを制御することができると、期待されている。
【０００６】
これらのニーズは、ネットワーク内の各基地局／セルに対する、グローバルにユニークな、基地局識別子（ｅＮＢ−ＩＤ：base station identifier）及びセル識別子（cell identifier）を維持したいと望む、移動体通信事業者には、大きな課題となっている。
【０００７】
この問題に対する直接的な解決策は、基地局識別子及び／又はセル識別子に使用されるビット数を増加させることであり、これにより、各オペレータは、基地局／セルの異なる組み合わせに対して同じ基地局識別子及びセル識別子を再使用することを回避することができる。しかしながら、これは、バックワード互換性の問題（backward compatibility problem）を生じさせる。これは、多くのモバイルデバイス及び基地局（及び／又は他のネットワークノード）が、関連する規格の以前のバージョンのみをサポートし、これにより、それらが、そのような「拡張された」基地局識別子及びセル識別子を理解することができない（又は、そのような拡張された識別子の一部のみを理解することができ、これにより、曖昧さ、及び、基地局／セルの異なる組み合わせ間の潜在的な衝突を引き起こす）ことを理由とする。
【０００８】
３ＧＰＰは、現在標準化されている２０ビットを超えて基地局識別子を増やす問題、及び、２５６を超えて基地局当たりのセル数を増やすという問題に対処するために、（標準化はしていないが）２つのオプション（選択肢）を検討した。
【０００９】
３ＧＰＰによって検討された第１の選択肢によれば、ＥＣＧＩを構成するために用いられるビットの総数（２８ビット）は変わらないが、（ＥＣＧＩ内の）ｅＮＢ−ＩＤを示すビットの数は、オペレータのニーズに応じて、１８ビットから２１ビットの間で柔軟に変更され得る。効果的には、この解決策は、ｅＮＢ−ＩＤが２０＋Ｎビットを用いる一方でセルＩＤが８−Ｎビットを用いるように、ＥＣＧＩにおける境界を値「Ｎ」だけ移動させることを含む。
【００１０】
しかしながら、一定の長さのＥＣＧＩ内でｅＮＢ−ＩＤを柔軟に変更することは、相互運用性の問題（interoperability issues）を引き続き発生させる可能性がある。例えば、異なる複数のノードが、（ＥＣＧＩ内の）ｅＮＢ−ＩＤを示すための異なるビット数を使用するように、設定される可能性がある。
【００１１】
さらに、拡張した（つまり、２０ビットを超える）ｅＮＢ−ＩＤを有すｅＮＢは、現在可能な２５６に比べてはるかに少ないセルしか有していない。したがって、この解決策は、３ＧＰＰPによって設定された目標を満たさず、オペレータがｅＮＢの数及びセルの数を同時に増やすことはできない。これは、特にキャリアアグリゲーション（ＣＡ）が採用されている場合に、基地局が益々パワフルになり且つより多くのセルを制御するという現在のトレンドとは明らかに矛盾している。このソリューションは、これに限定されないが、Ｓ１アプリケーションプロトコル（Ｓ１ＡＰ）及びＸ２アプリケーションプロトコル（Ｘ２ＡＰ）、パブリック警告システム（ＰＷＳ：Public Warning System）機能、セル情報を有する緊急サービス（emergency services with cell knowledge）、ロケーションサービス（LCS：Location Services）、ハンドオーバ、Ｘ２セットアップ、及び／又は、これらに類似のものを含む、無線アクセスネットワーク（ＲＡＮ：radio access network）及びネットワークの他の部分に重大な影響を及ぼす可能性がある。
【００１２】
また、拡張されたｅＮＢ−ＩＤを有することは、S 25.401 V13.0.0のAnnex 2.2で設定された要件を満たすことを、とても困難にする（又は、不可能にする）。S 25.401 V13.0.0のAnnex 2.2は、拡張された無線ネットワークコントローラ識別子（ＲＮＣ−ＩＤ：radio network controller identifier）スキームを採用する場合のネットワーク設定についての、（ルール１から４のような）複雑なルール（例えば、ｅＮＢの一部を形成する無線ネットワークコントローラのための拡張ＲＮＣ−ＩＤの規定）を開示している。この問題は、ＩＯＴの出現によりＬＴＥではさらに深刻である。
【発明の概要】
【発明が解決しようとする課題】
【００１３】
３ＧＰＰで検討されているもう１つの選択肢は、モバイルオペレータ毎に複数のＰＬＭＮ識別子を用いることであり、これは、各オペレータが（ＥＣＧＩがＰＬＭＮ−ＩＤ及びＣＩから構成されるので）ＣＩを変更することなく追加の複数のＥＣＧＩを有することを可能にする。しかしながら、このオプションは、複数のユニバーサル加入者識別モジュール（ＵＳＩＭｓ：Universal Subscriber Identity Modules）の変更を必要とする可能性が最も高く、このため、加入者に関連するコスト及び不便さを理由に、ネットワーク事業者によって反対されている。さらに、オペレータに必要なことは、単一のネットワーク内の（つまり、同じＰＬＭＮ−ＩＤについての）一意のｅＮＢ−ＩＤの数を増やすことである。
【００１４】
したがって、複数のオペレータの競合する要求を満たして、オペレータのネットワーク内の各セルの一意性を維持しながら、バックワード互換性の問題を引き起こすことなく、オペレータのネットワーク内の基地局及びセルの数を増やすことは、困難である。
【００１５】
したがって、本発明の好ましい実施形態は、上記の問題に対処する又は少なくとも部分的に対処する、方法及び装置を提供することを目的とする。
【００１６】
当業者の理解を容易にするために、本発明は、３ＧＰＰシステム（ＵＭＴＳ、ＬＴＥ）の文脈で詳細に説明されるが、本発明の原理は、多数の基地局及びセルが配備される、他のシステムに適応可能である。
【課題を解決するための手段】
【００１７】
一態様において、本発明は、通信ネットワークのための通信装置であって、ｉ）少なくとも１つの基地局及び前記基地局によってオペレートされるセルを識別するための識別子、並びに、ｉｉ）前記識別子に関連する前記基地局を含む複数の基地局が動作するエリアに関連付けられた、追跡エリアコード（tracking area code）を取得し、前記基地局に関連した後続の手順において前記基地局を識別するために、前記取得した識別子を前記追跡エリアコードと組み合わせて用いるように構成された、コントローラを具備する、通信装置を提供する。
【００１８】
本発明の複数の態様は、システムと、方法と、プログラム可能なプロセッサをプログラムして上記した又は特許請求の範囲に記載した態様及び可能性に記載した方法を実行するように機能する命令、及び／又は、適切に適合したコンピュータをプログラムしてクレームのいずれかに記載された装置を提供するように機能する命令を格納したコンピュータ可読記憶媒体などのコンピュータプログラムプロダクトとに及ぶ。
【００１９】
本明細書（特許請求の範囲を含む）及び／又は図面に示された各特徴は、他の開示された及び／又は図示された特徴とは独立して（又は組み合わせて）、本発明に組み込まれてもよい。限定されるものではないが特に、特定の独立請求項に従属する請求項のいずれかの特徴は、その独立請求項に任意の組合せで又は個別に導入されてもよい。
【図面の簡単な説明】
【００２０】
【図１】図１は、本発明の例示的な実施形態を適用可能な、セルラ電気通信システム（cellular telecommunication system）を概略的に示す図である。
【図２】図２は、図１に示すシステムの一部を形成する基地局によって、自動近隣関係（automatic neighbour relations）が管理される、例示的な方法のブロック図である。
【図３】図３は、図１に示すシステムの一部を形成するモバイルデバイスのブロック図である。
【図４】図４は、図１に示すシステムの一部を形成する基地局のブロック図である。
【図５】図５は、図１に示すシステムの一部を形成する移動管理エンティティのブロック図である。
【図６】図６は、本発明の例示的な実施形態が図１のシステムに実装され得る、例示的な方法を示すタイミング図である。
【図７】図７は、本発明の例示的な実施形態が図１のシステムに実装され得る、例示的な方法を示すタイミング図である。
【図８】図８は、本発明の例示的な実施形態が図１のシステムに実装され得る、例示的な方法を示すタイミング図である。
【発明を実施するための形態】
【００２１】
＜概要＞
図１は、複数のモバイルデバイス３（移動電話及び／又は他のユーザ機器）が基地局５（例えば、ＬＴＥ基地局又はｅＮＢ）、及びＥ−ＵＴＲＡＮ無線アクセス技術（ＲＡＴ：radio access technology）を用いるコアネットワーク６を介して、互いに通信することができる、電気通信ネットワーク１を概略的に示す。図１には、当業者であれば分かるように、３つのモバイル装置３と９つの基地局５が、図示の目的のために示されているが、該システムは、実装される際には、通常、他の基地局及び通信デバイスを含んでいる。
【００２２】
各基地局５は、１つ又は複数の関連するセル７を運営する。複数のモバイルデバイスは、セル７を運営している基地局５との間で、無線リソースコントロール（ＲＲＣ）コネクションを確立することによって、（それらの位置、及び、場合によっては、例えば信号条件、加入データ（subscription data）、能力（capability）、及び／又はこれらに類似のもの等の、他のファクタに基づいて）適切なセル７に接続する。
【００２３】
コアネットワーク６は、（とりわけ、）移動管理エンティティ（ＭＭＥ）１０と、サービングゲートウェイ（Ｓ−ＧＷ）１１及びパケットデータネットワーク（ＰＤＮ）ゲートウェイ（Ｐ−ＧＷ）１２などの、１つ又は複数のゲートウェイとを含んでいる。ＭＭＥ１０は、通信ネットワーク1内のモバイルデバイス３の位置を追跡する役割、及び、基地局のセル内のモバイルデバイス３によって用いられる通信ベアラを構成（設定）することにおいて、サービング基地局５をアシストする役割を担う、ネットワークノードである。ＭＭＥ１０は、例えば、モバイルデバイス３が位置していたと最後に知られているセル７に関連付けられた、追跡エリアコード（ＴＡＣ：tracking area code）を記憶することによって、追跡エリア（ＴＡ：tracking area）レベルで、モバイルデバイスの位置を追跡する。ＴＡＣは、ＰＬＭＮ識別子と共に、追跡エリア識別子（ＴＡＩ：tracking area identifier）を形成する。図１には示されていないが、コアネットワーク６は、次の複数のノードのうちの１つ又は複数を含んでいてもよく、それは、オペレーションメンテナンス（O&M：operation and maintenance）エンティティ、ホーム加入者サーバ（ＨＳＳ）、アプリケーションサーバ（ＡＳ）、マルチメディアブロードキャスト／マルチキャストサービス（ＭＢＭＳ）サーバ、マルチセル／マルチキャストコーディネーションエンティティ（ＭＣＥ）、進化型サービングモバイルロケーションセンタ（Ｅ−ＳＭＬＣ）、及び／又はこれらに類似のものである。
【００２４】
各基地局５は、Ｓ１インタフェースを介してコアネットワーク６に接続され、近隣の複数の基地局５は、Ｘ２インタフェースを介して（直接又はＸ２ゲートウェイを介して）、互いに接続される。コアネットワーク６と、コアネットワーク６の外部でホストされる、他の複数のネットワーク１５及び／又は複数のサーバとの間の、接続は、Ｐ−ＧＷ１２を介して提供される。このような他の（外部の）ネットワーク１５は、インターネット及び／又は複数の無線ローカルエリアネットワーク（ＷＬＡＮｓ）のような、複数のインターネットプロトコル（ＩＰ）ネットワークを含んでいてもよい。特定の基地局がＷＬＡＮに接続される場合、基地局とＷＬＡＮのノード群（例えばアクセスポイント群）とは、基地局とＷＬＡＮのＷＬＡＮ終端（ＷＴ：WLAN termination）ノードとの間に提供されるＸｗインタフェースを介して、接続される。
【００２５】
通信ネットワーク１は、自動近隣関係（ＡＮＲ：Automatic Neighbour Relation）機能を有益に利用する。したがって、各基地局５は、その基地局によって運営される各セル７についての、適切な近隣関係テーブル（ＮＲＴ：neighbour relations table）を記憶及び維持するように、構成されている。ＡＮＲ機能及びＮＲＴの更なる詳細は、図２を参照して以下で説明される。
【００２６】
図１に示す例では、説明の便宜上、各基地局５は、単一のセル７と関連付けられている（基地局５−１はセル７−１を運営し、基地局５−２はセル７−２を運営し、基地局５−３がセル７−３を運営するなど）。しかしながら、実装される際には、各マクロ基地局は、典型的には、複数のセル（例えば、ｅＮＢ当たり最大２５６又は１０２４のセル）を、制御し及び／又は、関連づける。
【００２７】
各セル７は、適切なセル識別子（ＣＩ）及びＴＡＣ（又はＴＡＩ）に関連づけられる。現在のＬＴＥシステムでは、セル識別子は、２８ビット（バイナリ）で構成され、このうちの左の２０ビットは、通信ネットワーク１のような公衆陸上移動ネットワーク（ＰＬＭＮ）内の特定の基地局を識別するために用いられる、基地局識別子（ｅＮＢ ＩＤ）を構成する。通信ネットワーク１は、（バイナリ）ＰＬＭＮ識別子（ＰＬＭＮ ＩＤ）にも関連づけられている。所謂Ｅ−ＵＴＲＡＮセルグローバル識別子（ＥＣＧＩ：E-UTRAN Cell Global Identifier）は、特定のセル７をグローバルに識別するために、使用される。ＥＣＧＩは、そのセル７に関連づけられたＣＩ、及び、セル７が位置するＰＬＭＮに関連づけられた適切なＰＬＭＮ−ＩＤから、構築される。ＥＣＧＩは、最大５２ビットのバイナリ値を有している。
【００２８】
各基地局５は、その特定の基地局５に対応づけられた各セル７において、適切なシステム情報ブロードキャスト（ＳＩＢ：system information broadcast）を介して、そのセル７に対応づけられた、ＰＬＭＮ ＩＤ、ＣＩ、及びＴＡＣをブロードキャストするように構成されている。有利には、この電気通信ネットワーク１において（つまり、同じＰＬＭＮ ＩＤについて）、同一のＣＩは、（好ましくは、同一の追跡エリア内でＣＩは再使用されないが）各追跡エリアにおいて再使用されてもよい。したがって、各追跡エリアにおいて（つまり、同じＴＡＣ値について）、各セル７は、その追跡エリア内の他のセル７とは異なるＣＩで設定されている。
【００２９】
図１から分かるように、モバイルデバイス３は、現在、追跡エリアコード＃１及びセル識別子＃１を有するセルを介して、基地局５−１によってサービスされている。しかしながら、（基地局５−３によって制御される）セル７−３は、同じセル識別子＃１を有するが、異なる追跡エリアコード＃２を有している。同様に、この電気通信ネットワーク１において、追跡エリア＃１及び／又は追跡エリア＃２で既に使用されているＣＩは、（同じ追跡エリア内では再使用されないが）追跡エリア＃３などの他の追跡エリアで再使用されてもよい。言い換えれば、ネットワーク１内の各セル７は、そのセル識別子と追跡エリアコードとの組み合わせを用いて、一意的に識別される。
【００３０】
有益には、このシステムのノードは、例えばＣＩ／ｅＮＢ ＩＤの単独ではなく、ＣＩ（又は、関連する基地局識別子、例えば、ｅＮＢ ＩＤ／ＨｅＮＢ ＩＤ）とＴＡＣとの組み合わせ（又は、ＣＩ＋ＴＡＣ＋ＰＬＭＮ ＩＤ  ／  ｅＮＢ ＩＤ＋ＴＡＣ＋ＰＬＭＮ ＩＤ）を用いて、各セル７を識別するように構成されている。
【００３１】
例えば、基地局５−１は、ＣＩ又はＥＣＧＩを単独に用いるのではなく、（例えば、電気通信ネットワーク１内で）セル７−１に対応づけられている、ＣＩ及びＴＡＣを用いて、及び／又は、ＣＩ、ＴＡＣ、及びＰＬＭＮ ＩＤを（グローバルに）用いて、そのセル７−１（及び基地局５−１によって運営されている他のセル）を一意的に識別するように構成されている。このシステム１の基地局５及び他のノードが、その対応づけられたＣＩをそのＴＡＣと共に用いて、特定のセル７を識別するように、及び／又は、以前ＣＩ／ｅＮＢ ＩＤだけ用いることができた手順において、対応づけられたｅＮＢ ＩＤをそのＴＡＣと共に用いて、特定の基地局５を識別するように構成されてもよい、ことが理解されるであろう。例として、これらの手順は、（これに限定されないが）、自動近隣関係（ＡＮＲ）手順、オペレーション及び保守（O＆M：operation and maintenance）手順、Ｘ２手順、Ｘｗ手順、Ｓ１手順、Ｍ２手順、及びＥ−ＳＭＬＣ手順を含む。
【００３２】
より詳細には、ＡＮＲ（又はO＆M）手順の場合、基地局５−１は、各近隣セル７に対応づけられた、ＣＩ／ｅＮＢ ＩＤ及びＴＡＣを取得し、セル７／ｅＮＢ５を一意的に識別することにおいて用いるために、基地局５−１が管理する適切にフォーマットされたＡＮＲテーブルに、取得されたＣＩ／ｅＮＢ ＩＤをＴＡＣと対応づけて記憶する、ように構成される。
【００３３】
基地局５は、特定のセル７（例えば、基地局５自身のセル、又は、近隣セル）に関連する基地局５によって実行される手順の間に、（例えば、専用情報要素ペア（dedicated information element pair）において）特定のセル７／ｅＮＢ５に対応づけられたＴＡＣと共に、上記のＣＩ／ｅＮＢ ＩＤを、他の複数のノードへ提供するように、構成される。
【００３４】
例えば、基地局５は、（セル７を一意的に識別するために）特定のセル７に対応づけられたＣＩ／ＴＡＣペア（又は、ｅＮＢ ＩＤ／ＴＡＣペア）を、Ｘ２手順（例えば、ハンドオーバ／モビリティ、Ｘ２リリース、Ｘ２削除要求／応答（X2 removal request/response）、Ｘ２ＡＰメッセージ転送（例えば、その「ＲＮＬヘッダ」）、Ｘ２セットアップ、負荷情報（load information）、リソース状態（resource status）、セルアクティベーション、無線リンク失敗（radio link failure）、及び／又は類似のもの）において、近隣基地局へ提供するように、構成されてもよい。
【００３５】
基地局５は、また、セル７に対応づけられたＣＩ／ＴＡＣペア（又は、ｅＮＢ ＩＤ／ＴＡＣペア）を、Ｓ１手順でＭＭＥ１０へ、Ｘｗ手順でＷＬＡＮ終端（ＷＴ）ノードへ、Ｍ２手順でマルチセル／マルチキャストコーディネーションエンティティ（ＭＣＥ）へ、Ｅ−ＳＭＬＣ手順で進化型サービングモバイルロケーションセンタ（Ｅ−ＳＭＬＣ）へ提供することによって、特定のセル７（例えば、それ自身のセル）を一意的に識別するように、構成されてもよい。
【００３６】
したがって、有益には、ｅＮＢ ＩＤ（又はグローバルｅＮＢ ＩＤ）及び／又はセルＩＤ（又はグローバルセルＩＤ）が（Ｓ１ＡＰシグナリングメッセージ、Ｍ２ＡＰシグナリングメッセージ、Ｘ２ＡＰシグナリングメッセージ、ＸｗＡＰシグナリングメッセージのような）シグナリングメッセージにおいて用いられる、任意の手順において、そのシグナリングメッセージは、セルＩＤ／ｅＮＢ ＩＤと共に、その手順／シグナリングメッセージに関連する基地局及び／又はセルに対応づけられた、ＴＡＣ／ＴＡＩを含んでいる。
【００３７】
以前は異なる目的で用いられていた、ＣＩ／ｅＮＢ ＩＤ及びＴＡＣを組み合わせて用いることで、既存のパラメータの変更（例えば、ｅＮＢ ＩＤに対応づけられたビット数を変更すること）を必要とすることなく、及び／又は、新しいパラメータ（例えば、複数の新しいＰＬＭＮ ＩＤ）を導入することなく、各セル／基地局の一意的な識別が可能となる。したがって、この解決策は、各セルのグローバルな一意性を維持し且つ他の解決策と比較してバックワード互換性の問題を最小限に抑えながら、ネットワーク内の基地局の数及びセルの数の増加を可能にする。
【００３８】
＜自動近隣関係（Automatic Neighbour Relation）＞
従来のモバイルネットワークにおいて近隣セル群を手動で設定して管理することは、困難な作業であり、「レガシー」２Ｇ／３Ｇセルが既に存在しているときに新しいモバイル技術が展開されているので、さらに難しくなる。複数のＬＴＥ（「４Ｇ」）事業者にとって、彼らの（ＬＴＥ）基地局についての内部のＬＴＥ近隣関係（intra LTE neighbour relations）を定義することに加えて、他の標準の下で動作するＬＴＥ近隣セル（例えば、２Ｇセル、３Ｇセル、ＣＤＭＡ２０００セル及び／又は類似のもの）を考慮する必要があるので、これは困難な作業である。
【００３９】
3GPP TS 36.300 V13.3.0のセクション22.3.2aに記載されているように、自動近隣関係（ＡＮＲ）機能の目的は、近隣関係（ＮＲ）を手動で管理する負担から、オペレータを解放することである。図２は、図１に示すシステム１において、自動近隣関係を複数の基地局５のうちの１つによって管理され得る、例示的な方法のブロック図である。
【００４０】
各セルについて、基地局は、概念的な近隣関係テーブル（ＮＲＴ）を保持する。見て分かるように、ＡＮＲ機能は、基地局に存在し、（セル毎の）ＮＲＴを管理するための適切な機能を含む。所謂、近隣検出機能（Neighbour Detection Function）は、新しい近隣装置（new neighbours）を見つけてそれらをＮＲＴに（この例では、ＮＲＴ管理機能（NRT management function）を介して）加える、役割を担う。これは、通常、基地局によって実行され、該基地局は、該基地局によってサービスされる１つ又は複数のモバイルデバイスについての適切なセルメジャメントを設定し、また、そのモバイルデバイスから、測定されたセルを識別する情報を含むメジャメントレポートを受信する。メジャメントレポートがＮＲＴにリストされていないセル（特定のセル）を識別する場合、（ＮＲＴ管理機能を介して）近隣セル検出機能が、（必要に応じて、他のノードと適切に通信した後に）このセルをＮＲＴに追加する。
【００４１】
所謂、近隣削除機能（Neighbour Removal Function）は、古い近隣関係（ＮＲ）を除去する役割を担う。近隣検出機能及び近隣除去機能は、個別の実装であり、このため、基地局ごとに異なっていてもよい。
【００４２】
さらに、（例えば、Ｘ２セットアップ手順又はｅＮＢ設定更新（Configuration Update）手順の間の）２つの基地局間での近隣情報交換（neighbour information exchange）が、ＡＮＲ目的のために用いられてもよい。また、ＡＮＲ機能は、ネットワークオペレータがオペレーション及び保守（O＆M）機能を介してＮＲＴを管理することを可能にする。オペレータは、必要に応じて、手動でＮＲを追加する、削除する、及び／又は、ＮＲＴの属性を変更するために、O＆M機能を用いることができる。ＡＮＲ機能は、また、ＮＲＴにおける変更について（例えば、O＆M機能を介して行われない変更について）O＆Mシステムに通知してもよい。
【００４３】
モバイルデバイスが受信信号のソースを一意に識別するために、各基地局は、物理セルＩＤ（ＰＣＩ）又は「物理層セルＩＤ」と呼ばれる、署名シーケンス（signature sequence）が与えられる。ＰＣＩは、ＵＴＲＡＮ周波数分割複信（ＦＤＤ）セルの場合、キャリア周波数とプライマリスクランブリングコード（ＰＳＣ）とによって定義される。また、ＰＣＩは、ＵＴＲＡＮ時分割複信（ＴＤＤ）セルの場合、キャリア周波数とセルパラメータＩＤとによって定義される。また、ＰＣＩは、ＧＳＭ（登録商標） ＥＤＧＥ無線アクセスネットワーク（ＧＥＲＡＮ）セルの場合、帯域インジケータ（Band Indicator）＋基地局識別コード（ＢＳＩＣ：Base Station Identity Code）＋ブロードキャスト制御チャネル（ＢＣＣＨ：Broadcast Control Channel）絶対無線チャネル番号（ＡＲＦＣＨ：Absolute Radio Frequency Channel Number）によって定義される。また、ＰＣＩは、ＣＤＭＡ２０００セルの場合、疑似ノイズ（ＰＮ：pseudorandom noise）オフセットによって定義される。
【００４４】
各ＮＲについて、ＮＲＴは、通常、関連付けられたターゲットセル識別子（ＴＣＩ：Target Cell Identifier）を含んでおり、これは、そのセルを（例えば、ハンドオーバ又は他のシグナリングのための）ターゲットセルとして識別する。現在のＥ−ＵＴＲＡＮシステムでは、ＴＣＩは、Ｅ−ＵＴＲＡＮセルグローバル識別子（ＥＣＧＩ：E-UTRAN Cell Global Identifier）及びＰＣＩに対応する。したがって、従来のＡＮＲ実装では、ソースセルからターゲットセルへの近隣関係（ＮＲ）は、ソースセルを制御する基地局が、ａ）ターゲットセルのＥＣＧＩ／ＣＩ及びＰＣＩを知っていること、ｂ）ターゲットセルを識別するソースセルについてのエントリをＮＲＴ内に有していること、ｃ）近隣関係テーブルのこのエントリの属性が（O＆Mによって又はデフォルト値への設定によって）既に定義されていること、を意味する。
【００４５】
しかしながら、このシステム１では、各近隣セルについて、ＮＲＴは、次の情報、つまり、関連するＰＬＭＮ ＩＤ、関連するＣＩ（又は、ＥＣＧＩ＝ＰＬＭＮ ＩＤ＋ＣＩ）、関連するＰＣＩ、及び、関連するＴＡＣを含んでいる。換言すれば、このシステムでは、ソースセルからターゲットセルへの近隣関係（ＮＲ：Neighbor Relation）は、ソースセルを制御する基地局がターゲットセルのＥＣＧＩ／ＣＩ、ＰＣＩ、及びＴＡＣを知っていることを意味する。
【００４６】
このシステム１では、ＡＮＲ機能は、関連するＰＬＭＮ ＩＤ、グローバルレベルアイデンティティ（つまり、ＥＣＧＩ）、ＰＣＩ、及びＴＡＣをブロードキャストする各セルに依存する。基地局のＡＮＲ機能は、複数のモバイルデバイスに、近隣セルに関するメジャメントを実行するように指示する、ように構成されている。モバイルデバイスが近隣セルに関するメジャメントレポートを送信する場合、初期レポートは、近隣セルのＰＣＩが含まれる。ＰＣＩの受信に応答して、基地局は、次の手順を実行することに進んでもよい。
【００４７】
サービング基地局は、新たに発見されたＰＣＩをパラメータとして用いて、モバイルデバイスに対して、対応する近隣セルの、ＥＣＧＩ、ＴＡＣ、及びすべての利用可能な１つ又は複数のＰＬＭＮ ＩＤを読み取るように、指示することができる。モバイルデバイスが（例えば、3GPP TS 36.331 V13.1.0に定義されているように）新しいセルのＥＣＧＩを見つけた場合、モバイルデバイスは、検出されたＥＣＧＩをサービング基地局に報告する。しかしながら、この場合、モバイルデバイスは、その近隣セルのＴＡＣ（及びすべてのＰＬＭＮ ＩＤ）も報告する。基地局は、この近隣関係を追加することを決定した場合、報告されたＰＣＩ、ＥＣＧＩをＴＡＣと一緒に用いてセル／基地局を一意的に識別し、以下の少なくとも１つを実行する。
【００４８】
ａ）新しい基地局にトランスポート層アドレスをルックアップする。
ｂ）近隣関係リストを更新する。
ｃ）必要に応じて、別の基地局に向けて新しいＸ２インタフェースをセットアップする。
【００４９】
したがって、有益には、ＣＩ／ＥＣＧＩ／ｅＮＢ ＩＤと組み合わせてＴＡＣを用いることにより、ＣＩ／ＥＣＧＩ／ｅＮＢ ＩＤに対して同じ数のビットを用いられてもよく、図１に示すシステム１のノード群が、ＥＣＧＩのみに依存する従来のＡＮＲ実装よりもより多くの基地局及びセルを、サポートし認識する、ことを可能とする。
【００５０】
＜モバイル機器＞
図３は、図１に示すモバイルデバイス３（例えば、携帯電話又は他のユーザ機器）の主要要素を示すブロック図である。図示されているように、モバイルデバイス３は、１つ又は複数のアンテナ３３を介して基地局５と信号を送受信するように動作可能なトランシーバ回路３１を有する。モバイルデバイス３は、モバイルデバイス３の動作を制御するコントローラ３７を有する。コントローラ３７は、メモリ３９に関連付けられ、トランシーバ回路３１に接続されている。モバイルデバイス３は、その動作に必ずしも必要ではないが、勿論、従来のモバイルデバイス３のすべての通常の機能（例えば、ユーザインタフェース３５）を有していてもよく、これは、必要に応じて、ハードウェア、ソフトウェア、及びファームウェアのいずれか１つ又は任意の組み合わせによって、提供されてもよい。
【００５１】
ソフトウェアは、メモリ３９に予めインストールされていてもよく、及び／又は、電気通信ネットワークを介して又は取り外し可能なデータ記憶デバイス（ＲＭＤ：data storage device）から、ダウンロードされてもよい。コントローラ３７は、この例では、メモリ３９内に記憶されたプログラム命令又はソフトウェア命令によって、モバイルデバイス３の全体的な動作を制御するように、構成されている。図示のように、これらのソフトウェア命令は、とりわけ、オペレーティングシステム４１と、通信制御モジュール４３と、セル識別モジュール４５とを含む。
【００５２】
通信制御モジュール４３は、モバイルデバイス３とそのサービング基地局５（及び更なる複数のモバイルデバイス及び／又は複数のネットワークノードのような、サービング基地局５に接続された他の複数の通信デバイス）との間の通信を制御するように、動作し得る。
【００５３】
セル識別モジュール４５は、各セル７（少なくともモバイルデバイス３の近傍にあるセル７）を一意に識別するための情報を格納する役割を担う。理解されるように、セル識別モジュール４５は、各セル７について、そのセル７に関連づけられた適切なＰＬＭＮ ＩＤ、そのセル７に関連づけられたＣＩ、そのセル７に関連づけられたＰＣＩ、及びそのセル７に関連づけられたＴＡＣを記憶する。換言すれば、モバイルデバイス３は、そのセル７を一意的に識別するために、特定のセル７に関連づけられたＴＡＣとともに、ＣＩ又は（ＰＬＭＮ ＩＤ及びＣＩから構成される）ＥＣＧＩを使用するように、構成される。
【００５４】
＜基地局＞
図４は、図１に示す基地局５の主要要素を示すブロック図である。図示のように、基地局５は、（例えば、モバイルデバイス３／ユーザ機器のような）通信デバイスと、１つ又は複数のアンテナ５３を介して信号を送受信するトランシーバ回路５１と、コアネットワーク（例えば、ＭＭＥ１０）と信号を送受信するコアネットワークインタフェース５５（例えば、Ｓ１インタフェース）と、近隣基地局と信号を送受信する基地局インタフェース５６（例えば、Ｘ２インタフェース）とを有する。基地局５は、基地局５の動作を制御するコントローラ５７を有する。コントローラ５７は、メモリ５９に関連づけられている。図４には必ずしも示されていないが、基地局５は、勿論、セルラネットワーク基地局の通常の機能のすべてを有しており、これは、必要に応じて、ハードウェア、ソフトウェア、及びファームウェアの任意の１つ又は任意の組み合わせによって、提供されてもよい。ソフトウェアは、メモリ５９に予めインストールされてもよく、及び／又は、通信ネットワーク１を介して又は例えば取り外し可能なデータ記憶デバイス（ＲＭＤ）から、ダウンロードされてもよい。コントローラ５７は、この例では、メモリ５９内に記憶されたプログラム命令又はソフトウェア命令によって、基地局５の全体的な動作を制御するように、構成されている。図示のように、これらのソフトウェア命令は、とりわけ、オペレーティングシステム６１と、通信制御モジュール６３と、セル識別モジュール６５と、ＡＮＲモジュール６７とを含む。
【００５５】
通信制御モジュール６３は、基地局５と、モバイルデバイス３（ユーザ機器）と、基地局５に接続された他のネットワークエンティティとの間の通信を制御するように、動作可能である。通信制御モジュール６３は、また、（関連する複数の無線ベアラを介した）ダウンリンクユーザトラヒック、及び、基地局５に関連づけられた複数の通信デバイスへ送信される制御データの、別々の複数のフローを制御する。
【００５６】
セル識別モジュール６５は、各セル７（例えば、その基地局自身のセル及び／又はその近隣基地局のセル）を一意に識別するための情報を格納する役割を担う。見てわかるように、セル識別モジュール６５は、各セル７について、そのセル７に関連する適切なＰＬＭＮ ＩＤ、そのセル７に関連するＣＩ、そのセル７に関連するＰＣＩ、及びそのセル７に関連するＴＡＣを記憶する。換言すれば、基地局５は、そのセル７を一意的に識別するために、特定のセル７に関連するＴＡＣとともに、ＣＩ又は（ＰＬＭＮ ＩＤ及びＣＩから構成される）ＥＣＧＩを使用するように、構成される。
【００５７】
ＡＮＲモジュール６７は、各近隣セル７に関連する、適切なＣＩ（又はＥＣＧＩ）及びＴＡＣを取得することを含む、自動近隣関係に関連する手順を担当する。ＡＮＲモジュール６７は、特定のセル７に関連する基地局５によって実行される手順の間にセル７を一意的に識別するために、セル７に関連づけられたＴＡＣとともにＣＩ（又はＥＣＧＩ）を他の複数のノードへ提供する、役割を担う。
【００５８】
＜モビリティ管理エンティティ＞
図５は、図１に示されたモビリティ管理エンティティ（ＭＭＥ）１０の主要な要素を示すブロック図である。図示のように、ＭＭＥ１０は、基地局インタフェース７５（例えば、Ｓ１インタフェース）を介して基地局５（及び／又は基地局５に接続された複数の通信デバイス）との間で信号を送受信するトランシーバ回路７１を有する。ＭＭＥ１０は、ＭＭＥ１０の動作を制御するためのコントローラ７７を有する。コントローラ７７は、メモリ７９に関連づけられている。図５には必ずしも示されていないが、モビリティ管理エンティティ１０は、セルラ電話ネットワークモビリティ管理エンティティ（cellular telephone network mobility management entity）の通常の機能のすべてを有しており、これは、必要に応じて、ハードウェア、ソフトウェア、及びファームウェアの任意の１つ又は任意の組み合わせによって、提供されてもよい。ソフトウェアは、メモリ７９に予めインストールされてもよく、及び／又は、通信ネットワーク１を介して又は取り外し可能なデータ記憶装置（ＲＭＤ）から、ダウンロードされてもよい。コントローラ７７は、この例では、メモリ７９内に格納されたプログラム命令又はソフトウェア命令によって、モビリティ管理エンティティ９の全体的な動作を制御するように、構成されている。図示するように、これらのソフトウェア命令は、とりわけ、オペレーティングシステム８１と、通信制御モジュール８３と、セル識別モジュール８５とを含む。
【００５９】
通信制御モジュール８３は、ＭＭＥ１０と、基地局５（基地局５に接続された複数のモバイルデバイス３を含む）と、ＭＭＥ１０に接続された他のネットワークエンティティとの間の通信を制御するように、動作可能である。
【００６０】
セル識別モジュール８５は、ＭＭＥ１０によって管理されるエリア内の各セル７を一意に識別する情報を格納する役割を担う。図示するように、セル識別モジュール８５は、各セル７について、セル７に関連づけられたＰＬＭＮ ＩＤ、セル７に関連づけられたＣＩ、セル７に関連づけられたＰＣＩ、及び、セル７に関連づけられたＴＡＣを記憶する。換言すれば、ＭＭＥ１０は、セル７に関連づけられたＴＡＣとともにセル７のＣＩ又は（ＰＬＭＮ及びＣＩによって形成される）ＥＣＧＩを用いて、各セル７を一意的に識別するように、構成されている。
【００６１】
上記の説明では、多数の別個のモジュール（通信制御モジュール、ＡＮＲモジュール、及びセル識別モジュールなど）を有するものとして、理解を容易にするために、モバイルデバイス３、基地局５、及びモビリティ管理エンティティ１０が記載されている。これらのモジュールは、例えば既存のシステムが本発明を実施するように改変された特定のアプリケーションのために、このように提供されてもよいが、他のアプリケーションでは、例えば、当初から本発明の特徴を考慮して設計されたシステムにおいて、全体的なオペレーティングシステムやコードに組み込まれていてもよく、このため、これらのモジュールは、別々の複数のエンティティとして認識されなくてもよい。また、これらのモジュールは、ソフトウェア、ハードウェア、ファームウェア、又は、これらの組み合わせによって、実装されてもよい。
【００６２】
以下では、セルを一意的に識別するために、セルのＣＩをそのセルのＴＡＣと一緒に用いる、いくつかの例示的な手順のより詳細な説明を（図５−８を参照して）行う。同様に、１つのネットワーク内の（例えば、同じＰＬＭＮ ＩＤについての）一意のｅＮＢ−ＩＤの数を増やすために、ｅＮＢ−ＩＤとＴＡＣとの組み合わせが用いられてもよい。
【００６３】
＜オペレーション＞
図６は、近隣の基地局（ｅＮＢ）５−１と基地局５−２との間の近隣関係（及びＸ２コネクション）を設定するためのＡＮＲ手順を実行する場合に、システム１の要素によって実行される、例示的なプロセスを示すタイミング図（メッセージシーケンス図）である。
【００６４】
最初に、第１の基地局５−１によってサービスされるモバイルデバイス（ＵＥ）３は、新しい近隣セル（例えば、基地局５−２によって制御されるセル７−２）に関するメジャメントレポートを送信する。ステップＳ１に一般的に示されるように、例えば、サービング基地局５−１による要求のときに、モバイルデバイス３は、近隣セル７−２のＰＬＭＮ ＩＤ、ＣＩ（又は、ＥＣＧＩ）、及びＴＡＣを報告する。
【００６５】
これに応答して、サービング基地局５−１は、ステップＳ４に一般的に示されるように、（そのＡＮＲモジュール６７を用いて）そのＡＮＲテーブルの更新に進むことができる。そうするために、基地局５−１は、例えば「ｅＮＢ設定転送（eNB Configuration Transfer）」メッセージのような適切にフォーマットされたＳ１シグナリングメッセージを送信することにより、ＭＭＥ１０と通信し、このメッセージ内に、基地局５−１がＸ２コネクションをセットアップすることを望む、近隣セル７−２のＴＡＣとともにＣＩ（又はＥＣＧＩ）を含めてもよい。したがって、この場合、基地局５−１のｅＮＢ設定転送メッセージは、関連する（ＣＩのみではなく）ＣＩ及びＴＡＣによって、ターゲットセルを一意的に識別する。このため、ＭＭＥ１０は、識別されたセル７−２を制御する基地局５−２の適切なアドレスをルックアップし、適切なＳ１ ＭＭＥ設定転送（S1 MME Configuration Transfer）を、基地局５−１へ送信することができる。
【００６６】
ＭＭＥ１０の応答に含まれる情報（例えば、近隣基地局５−２についてのトランスポートネットワーク層アドレス及び／又はそれに類似のもの）を用いて、基地局５−１及び近隣基地局５−２は、ステップＳ３にて、適切なＸ２コネクションを互いに確立することに進むことができる。Ｘ２コネクションの確立の間に、基地局５−１及び基地局５−２は、それらの関連するｅＮＢ ＩＤ及びＴＡＣによって互いを識別し、それらの関連するＣＩ及びＴＡＣによって互いのセルを識別するように、構成されている。
【００６７】
適切な場合、ステップＳ５に示すように、近隣基地局５−２は、そのＡＮＲテーブルを更新し、基地局５−１によって制御される任意のセル（この例では、セル７−１）を、新しい近隣セルとしてＡＮＲテーブルに含めてもよい。
【００６８】
したがって、有益には、ＣＩをＴＡＣと一緒に用いることによって、システムのノードは、同じセル識別子を有する異なるセル（例えば、ともに基地局５−１の近隣である、セル７−２及びセル７−４）を一意的に区別することができ、これにより、これらのセルのその後の取り扱いにおける衝突（conflict）を回避することができる。
【００６９】
例えば、特定のセル７のＣＩ及びＴＡＣは、（これに限定されるものではないが）ＡＮＲ手順、O＆M手順、Ｘ２手順、Ｘｗ手順、Ｓ１手順、Ｍ２手順、及びＥ−ＳＭＬＣ手順を含む、後続の手順において、セル７を一意的に識別するために、一緒に用いられてもよい。
【００７０】
図７及び図８は、セルを識別するためにＣＩがＴＡＣとともに用いられてもよい、及び／又は、基地局を識別するためにｅＮＢ ＩＤがＴＡＣとともに用いられてもよい、いくつかの例示的な手順（及び／又はそのような手順に関連するシグナリングメッセージ）を図示している。
【００７１】
図７及び図８に示すステップは、その前にステップＳ６（図６）があってもよいことが理解されるであろう。このステップＳ６では、後続の手順を実行するために特定のセル（又は基地局）を識別するために、手順に関与する基地局５−１が、セル識別子（又は基地局識別子）を追跡エリアコード（tracking area code）とともに用いる。例えば、基地局５−１は、近隣基地局５−２へＸ２シグナリングメッセージを送信する前に、基地局５−２のためのトランスポートネットワーク層アドレスをルックアップするように、構成されてもよい。
【００７２】
図７のステップＳ１０に一般的に示されるように、基地局５は、後続のＡＮＲ手順（ＮＲ削除（NR removal）、ＮＲ報告等）において、特定のセル７のＣＩ（又はＥＣＧＩ＝ＰＬＭＮ ＩＤ＋ＣＩ）と共にＴＡＣを用いるように、構成されてもよい。
【００７３】
また、基地局５は、これに限定されるものではないが、ハンドオーバ要求、ハンドオーバ報告、Ｘ２リリース、Ｘ２削除（X2 removal）、負荷情報（load information）、リソース状態（resource status）、ＲＬＦインジケーション、及びセルアクティベーション手順を含む、後続のＸ２手順（捨て婦Ｓ１１）において、セル７を識別するためにセル７のＴＡＣ及びＣＩ（又はＥＣＧＩ）を用いるように、構成されてもよい。これに代えて又はこれに加えて、基地局５は、そのようなＸ２手順において、基地局５を識別するために、特定の基地局のＴＡＣ及びｅＮＢ−ＩＤ（又はグローバルｅＮＢ−ＩＤ）を用いるように、構成されてもよい。ＴＡＣ及びＣＩ／ｅＮＢ−ＩＤ（又は、ＥＣＧＩ／グローバルｅＮＢ−ＩＤ）がセル／基地局を識別するために用いられてもよい、様々な例示的なＸ２手順に関連する、更なる詳細及び情報要素（ＩＥｓ：information elements）が、以下のテーブル１−２３に示されている。この場合、複数の基地局５は、Ｘ２ゲートウェイ（Ｘ２ ＧＷ）１３を介して接続されてもよい（このため、互いに、Ｘ２シグナリングメッセージを交換してもよい）、ことが理解されるであろう。この場合、Ｘ２ ＧＷ１３は、また、関連づけられたＣＩ及びＴＡＣによって個々のセルを識別するように、及び／又は、関連づけられたｅＮＢ ＩＤ及びＴＡＣの組み合わせを用いて各基地局５を識別するように、構成されておよい。
【００７４】
ステップＳ１２に示すように、基地局５は、また、後続のＳ１手順、例えば公衆警報システム（ＰＷＳ：public warning system）手順及び／又はそれに類似のものにおいて、特定のセル７のＴＡＣ及びＣＩ（ＥＣＧＩ）を用いるように、構成されてもよい。その公衆警報システム手順では、セルは、一意的に識別される必要（及び／又は、そのような手順において基地局５を一意的に識別するために、基地局５のＴＡＣ及びｅＮＢ−ＩＤ（又は、グローバルｅＮＢ−ＩＤ）を用いる必要）がある。
【００７５】
ステップＳ１３に一般的に示されるように、各基地局５は、また、Ｘｗコネクションの確立（セットアップ）の間における、例えば、ＷＬＡＮのＷＬＡＮ終端（ＷＴ）ノード２０についての基地局５の特定のセル７を一意的に識別するために、ＷＬＡＮに向けた後続のＸｗ手順において、ＴＡＣ及びＣＩ（又は、ＥＣＧＩ）を用いるように構成されてもよい。これに代えて又はこれに加えて、基地局５は、そのようなＸｗ手順において、基地局５を識別するために、基地局５のＴＡＣ及びｅＮＢ−ＩＤ（又は、グローバルｅＮＢ−ＩＤ）を用いるように、構成されてもよい。
【００７６】
図８のステップＳ２０に示すように、基地局５は、また、オペレーション及び保守（O&M：operation and maintenance）ノード２１との間で実行される後続のＡＮＲ手順（例えば、ＮＲ報告、アップデートパラメータ、及び／又はこれに類似のもの）において、特定のセル７を識別するために、セル７のＴＡＣ及びＣＩ（又は、ＥＣＧＩ＝ＰＬＭＮ ＩＤ＋ＣＩ）を用いるように、構成されてもよい。
【００７７】
ステップＳ２１に一般的に示されるように、各基地局５は、また、マルチセル／マルチキャストコーディネーションエンティティ（ＭＣＥ：multi-cell/multicast coordination entity）２２に向けた後続のＭ２手順において、例えば、Ｍ２セットアップ及び／又は設定アップデート（configuration update）手順において基地局５の特定のセル７を一意的に識別するために、ＴＡＣ及びＣＩ（又は、ＥＣＧＩ）を用いるように、構成されてもよい。これに代えて又はこれに加えて、基地局５は、そのようなＭ２手順において基地局５を識別するために、特定の基地局のＴＡＣ及びｅＮＢ−ＩＤ（又は、グローバルｅＮＢ−ＩＤ）を用いるように、構成されてもよい。
【００７８】
ステップＳ２２に一般的に示されるように、各基地局５は、Ｅ−ＳＭＬＣ２３に向けた後続の手順において、関連するＴＡＣ及びＣＩ（又は、ＥＣＧＩ）を用いて、その基地局５の特定のセル７を一意的に識別するように、構成されてもよい。これに代えて又はこれに加えて、基地局５は、そのようなＥ−ＳＭＬＣ手順において基地局５を識別するために、そのＴＡＣ及びｅＮＢ−ＩＤ（又はグローバルｅＮＢ−ＩＤ）を用いるように、構成されてもよい。
【００７９】
基地局／セルのｅＮＢ−ＩＤ／ＣＩ（又は、ＥＣＧＩ）が基地局／セルを識別するためにＴＡＣと一緒に有益に用いられてもよい、様々な例示的手順に関連する、更なる詳細及び情報要素（ＩＥｓ：information elements）が、テーブル２４−２９に示されている。
【００８０】
＜変更及び代替＞
以上、詳細な実施形態を説明した。当業者には理解されるように、多くの修正及び代替が上記実施例になされ得るが、その中に具現化される複数の発明から恩恵を受ける。ここでは、図示のみによって、多くのこれらの代替及び変更が説明される。
【００８１】
図６−図８のステップＳ１−Ｓ２２において、複数のノードは、そのセル／基地局を一意的に識別するために、特定のセル／基地局に関連づけられたＰＬＭＮ ＩＤ、ＣＩ、及びＴＡＣを用いるように、示されている。しかしながら、次のことが理解されるであろう。
・ｅＮＢのＴＡＣは、オペレータネットワーク内においてそのｅＮＢを識別するために、ｅＮＢ−ＩＤと組み合わせて用いられてもよい。
・ｅＮＢのＴＡＣは、オペレータネットワーク内においてＥ−ＵＴＲＡＮセルを一意的に識別するために、ＥＣＩと組み合わせて用いられてもよい。
・ｅＮＢのＴＡＣは、Ｅ−ＵＴＲＡＮセルをグローバルに一意的に識別するために、ＥＣＧＩと組み合わせて用いられてもよい。
【００８２】
上記の例示的な実施形態では、基地局は、モバイルデバイスと通信するために、３ＧＰＰ無線通信（無線アクセス）技術を使用する。しかしながら、上記のいずれの基地局及びいずれのモバイルデバイスも、他の任意の適切な無線通信技術（つまり、ＷＬＡＮ、Ｗｉ-Ｆｉ、ＷｉＭＡＸ、ブルートゥース（登録商標）など）を用いて、互いに通信するように、構成されてもよい。また、上記の例示的な実施形態は、「非モバイル」又は一般に固定のユーザ機器にも適用可能である。
【００８３】
上記の説明では、モバイルデバイス、基地局、及びＭＭＥは、理解を容易にするために、多数の別個の複数の機能コンポーネント又は複数の機能モジュールを有するものとして記載されている。これらのモジュールは、例えば既存のシステムが本発明を実施するように改変された特定のアプリケーションにおいて、このように提供されてもよいが、例えば当初から本発明の特徴を考慮して設計されたシステムにおける他のアプリケーションにおいて、これらのモジュールは、全体的なオペレーティングシステム及びコードに組み込まれていてもよく、そのため、これらのモジュールはディスクリートエンティティ（discrete entities）として認識されない可能性がある。
【００８４】
上記の例示的な実施形態では、いくつかのソフトウェアモジュールが説明された。当業者には理解されるように、ソフトウェアモジュールは、コンパイルされた形態又はコンパイルされていない形態で提供されてもよいし、コンピュータネットワークを介した信号又は記録媒体上の信号として、基地局、移動管理エンティティ又はモバイルデバイスに供給されてもよい。さらに、このソフトウェアの一部又は全部によって実行される機能は、１つ又は複数の専用ハードウェア回路を使用して実行されてもよい。しかしながら、それらの機能性を更新するために、基地局、モビリティ管理エンティティ又はモバイルデバイスの更新を容易にするので、ソフトウェアモジュールの使用が好ましい。
【００８５】
テーブル１−２９は、特定のセル（及び／又は基地局）を一意的に識別するために、ＣＩと組み合わされたＴＡＣ（及び／又はｅＮＢ ＩＤ）が用いられてもよい、可能な手順及び情報要素のいくつかを示している。以下のテーブルでは、ＴＡＣは、追跡エリア識別子（ＴＡＩｓ：tracking area identifiers）のリストの形式で含まれている。したがって、ＴＡＣとＴＡＩとは、同じ意味で用いられている。ＴＡＩ群のリストは単一のＴＡＩを含むことができることが理解されよう。
【００８６】
＜Ｘ２手順−テーブル１−２３＞
【００８７】
［テーブル１］
【表１】
2019517226.tif 000003
2019517226.tif 000004
2019517226.tif 000005
【００８８】
［テーブル２］
【表２】
2019517226.tif 000006
【００８９】
［テーブル３］
【表３】
2019517226.tif 000007
【００９０】
［テーブル４］
【表４】
2019517226.tif 000008
【００９１】
［テーブル５］
【表５】
2019517226.tif 000009
【００９２】
［テーブル６］
【表６】
2019517226.tif 000010
【００９３】
［テーブル７］
【表７】
2019517226.tif 000011
【００９４】
［テーブル８］
【表８】
2019517226.tif 000012
【００９５】
［テーブル９］
【表９】
2019517226.tif 000013
【００９６】
［テーブル１０］
【表１０】
2019517226.tif 000014
【００９７】
［テーブル１１］
【表１１】
2019517226.tif 000015
【００９８】
［テーブル１２］
【表１２】
2019517226.tif 000016
【００９９】
［テーブル１３］
【表１３】
2019517226.tif 000017
【０１００】
［テーブル１４］
【表１４】
2019517226.tif 000018
【０１０１】
［テーブル１５］
【表１５】
2019517226.tif 000019
【０１０２】
［テーブル１６］
【表１６】
2019517226.tif 000020
【０１０３】
［テーブル１７］
【表１７】
2019517226.tif 000021
【０１０４】
［テーブル１８］
【表１８】
2019517226.tif 000022
【０１０５】
［テーブル１９］
【表１９】
2019517226.tif 000023
【０１０６】
［テーブル２０］
【表２０】
2019517226.tif 000024
【０１０７】
［テーブル２１］
【表２１】
2019517226.tif 000025
【０１０８】
［テーブル２２］
【表２２】
2019517226.tif 000026
【０１０９】
［テーブル２３］
【表２３】
2019517226.tif 000027
【０１１０】
＜Ｘｗ手順−テーブル２４＞
【０１１１】
［テーブル２４］
【表２４】
2019517226.tif 000028
【０１１２】
＜Ｓ１手順−テーブル２５，２６＞
【０１１３】
［テーブル２５］
【表２５】
2019517226.tif 000029
【０１１４】
［テーブル２６］
【表２６】
2019517226.tif 000030
【０１１５】
＜Ｍ２手順−テーブル２７，２８＞
【０１１６】
［テーブル２７］
【表２７】
2019517226.tif 000031
【０１１７】
［テーブル２８］
【表２８】
2019517226.tif 000032
【０１１８】
＜Ｅ−ＳＭＬＣ手順−テーブル２９＞
【０１１９】
［テーブル２９］
【表２９】
2019517226.tif 000033
【０１２０】
上記の通信装置は、上記の識別子及び追跡エリアが関連する、基地局を有していてもよい。この場合、上記の通信装置は、第１の基地局を有していてもよく、上記のコントローラは、ｉ）第２の基地局及び第２の基地局によってオペレートされるセルを識別するための更なる識別子、及びｉｉ）該更なる識別子が関連する第２の基地局を含む複数の基地局が動作する、エリアに関連づけられた更なる追跡エリアコードを取得するように、構成されてもよい。
【０１２１】
代替的には、上記の通信装置は、第１の基地局を有してもよく、上記の識別子及び追跡エリアが関連する上記基地局は、第２の基地局であってもよい。この場合、上記のコントローラは、上記の取得された識別子及び追跡エリアコードの両方に基づいて、上記の第２の基地局のためのトランスポートネットワーク層アドレスをルックアップするように、構成されてもよい。
【０１２２】
上記のコントローラは、上記の取得された識別子を上記の追跡エリアコードと共に、上記の基地局と関わるＸ２手順において該基地局を識別するために用いるように、構成されてもよい。上記のコントローラは、また、上記基地局を識別するために、上記取得された識別子を追跡エリアコードとともに、上記基地局に関連する自動近隣関係（ＡＮＲ）手順、上記基地局に関連するオペレーション保守（O＆M）手順、上記基地局に関連するＳ１手順、上記基地局に関連するＸｗ手順、上記基地局に関連するＭ２手順、及び、上記基地局に関連する進化型サービングモバイルロケーションセンタ（Ｅ−ＳＭＬＣ）手順のうちの少なくとも１つにおいて、用いるように構成されてもよい。
【０１２３】
上記のコントローラは、上記の後続の手順の一部として、上記取得された識別子及び追跡エリアコードを含むシグナリングメッセージを生成するように構成されてもよく、該追跡エリアコードは、上記取得された識別子にマッチする他の識別子を有する他の基地局から上記取得された識別子に関連する基地局を区別するために用意された、適切にフォーマットされた情報要素内に置かれてもよい。
【０１２４】
上記の取得された識別子及び追跡エリアコードは、近隣関係テーブル（ＮＲＴ：neighbour relation table）において互いに関連づけられて記憶されてもよく、上記取得された識別子にマッチする他の識別子を有する他の基地局から上記取得された識別子に関連する基地局を区別するために上記追跡エリアコードが用いられるように、用意されてもよい。
【０１２５】
上記の通信装置は、移動管理エンティティ（ＭＭＥ）、オペレーション保守（O＆M）エンティティ、Ｘ２ゲートウェイ、マルチセル／マルチキャストコーディネーションエンティティ（ＭＣＥ）、進化型サービングモバイルロケーションセンタ（Ｅ−ＳＭＬＣ）、及び、無線ローカルエリアネットワーク（ＷＬＡＮ）終端ノードのうちの１つを有していてもよい。
【０１２６】
様々な他の修正が当業者には明らかであり、ここではさらに詳細には説明しない。
【０１２７】
以下は、上述した実施形態が現在提案されている３ＧＰＰ標準で実施され得る、方法の詳細な説明である。様々な特徴が本質的に又は必要であると説明されているが、これは、例えば規格によって課せられた他の要求のため、提案された３ＧＰＰ標準の場合のみであり得る。したがって、これらの記述は、決して本発明を限定するものとして解釈されるべきではない。
【０１２８】
〈１．はじめに〉
グローバルに一意的なｅＮＢ−ＩＤ及びセル−ＩＤを同時に維持しながら、スモールセルサイズを増やす要求及びセルラサービスをラージエリアへ提供する必要は、ネットワークオペレータの真価が問われる。この問題に対する自然な解決策は、ｅＮＢ−ＩＤ／ＥＣＧＩによって用いられる、ビット数を増やすことである。しかしながら、これは、バックワード互換性の問題という大きなコストとなる可能性がある。ＥＣＧＩを構築するために用いられるビットの総数を変更することなく、ｅＮＢ−ＩＤを示すビット数を柔軟に変更することは、RAN3＃91bisにて提案された一方で、同じモバイルオペレータによってＰＬＭＮ−ＩＤを２つ以上使用する別のオプションは、ＵＳＩＭの変更に起因する大きなコストを生じさせる可能性があることを理由に、オペレータによって反対された。
【０１２９】
これに照らして、この論文の目的は、上記の矛盾した要件を満たすことができる解決策が可能かどうかを調べることである。
【０１３０】
〈２．ディスカッション〉
ｅＮＢ−ＩＤを２０ビットを超えて増やすことは、セルサイズの減少及びサービスカバレッジの増加という自然な結果となり得る。これとは対照的に、ｅＮＢあたり２５６を超えてセルを増やす必要がある理由の解明は、未だである。
【０１３１】
〈所見（Observation）１：〉ｅＮＢ−ＩＤサイズを増加させることは、時代の要求であるが、ｅＮＢあたりのセル数はそうではない。
【０１３２】
〈提案（Proposal）１：〉ＲＡＮ３は、セル数をｅＮＢあたり２５６を超えて増やす必要がある、ユースケースのシナリオに関して、研究することを要求されている。
【０１３３】
トータルのＥＣＧＩ長を維持しながらｅＮＢ ＩＤを構築するために用いられるビット数を柔軟に変更することは、多くのバックワード互換性及び相互運用性の問題を引き起こす可能性がある。オペレータがｅＮＢ−ＩＤ及びセルＩＤの両方を増やす必要がある場合、それは、解決策にはならない。
【０１３４】
一方、複数のＰＬＭＮ−ＩＤを用いることは、オペレータがＵＳＩＭを置き換える必要があり、これは高価なプロセスであるので、解決策にはならない。
【０１３５】
これに照らして、上のセクション１で概説したような、相反する要件をすべて満たす、既成のソリューションが存在するかどうかを調べることが、重要である。例えば、追跡エリアコード（ＴＡＣ）は、交換又はブロードキャストされるメッセージの多くで利用可能である。したがって、ｅＮＢごとに注意深く割り当てられた複数のＴＡＣとＥＣＧＩとの組み合わされた使用は、一意性のある組み合わせを作成できる。
【０１３６】
〈提案２：〉ＲＡＮ３は、ＴＡＣとＥＣＧＩとを組み合わせて使用することで、オペレータが直面する問題を解決できるかどうかを検討することが、要求されている。
【０１３７】
〈３．結論及び提案〉
このペーパーでは、グローバルな一意性を維持しながら、バックワード互換性を損なうことなく、ネットワーク内のｅＮＢの数を増やすという、競合する要求をどのように満たすかについて、分析する。基本的な分析により、以下の所見及び提案が更に行われる。
【０１３８】
〈所見１：〉ｅＮＢ−ＩＤサイズを増加させることは、時代の要求であるが、ｅＮＢあたりのセル数はそうではない。
【０１３９】
〈提案１：〉ＲＡＮ３は、セル数をｅＮＢあたり２５６を超えて増やす必要がある、ユースケースのシナリオに関して、研究することを要求されている。
【０１４０】
〈提案２：〉ＲＡＮ３は、ＴＡＣとＥＣＧＩとを組み合わせて使用することで、オペレータが直面する問題を解決できるかどうかを検討することが、要求されている。
【０１４１】
上記の実施形態の一部又は全部は、以下の付記のようにも記載されうるが、以下には限られない。
【０１４２】
（付記１）
通信ネットワークのための通信装置であって、
ｉ）基地局及び前記基地局のセルの少なくとも１つを識別するための識別子、並びに、ｉｉ）前記識別子に関連する前記基地局を含む複数の基地局が動作する、追跡エリアに関連づけられた追跡エリアコードを取得し、
前記基地局に関連する後続の手順において前記基地局を識別するために、前記取得された識別子を前記追跡エリアコードと組み合わせて用いる、
ように構成されたコントローラを具備する、
通信装置。
【０１４３】
（付記２）
前記通信装置は、前記識別子及び追跡エリアが関連する前記基地局を有する、
付記１記載の通信装置。
【０１４４】
（付記３）
前記通信装置は、第１基地局を具備し、
前記コントローラは、ｉ）第２基地局及び前記第２基地局のセルを識別するための他の識別子と、ｉｉ）前記他の識別子が関連する前記第２基地局を含む複数の基地局が動作するエリアに関連づけられた、他の追跡エリアコードとを取得するように、構成された、
付記２記載の通信装置。
【０１４５】
（付記４）
前記通信装置は、第１基地局を具備し、
前記識別子及び追跡エリアに関連する前記基地局は、第２基地局である、
付記１記載の通信装置。
【０１４６】
（付記５）
前記コントローラは、前記取得された識別子及び追跡エリアコードの両方に基づいて、前記第２基地局のためのトランスポートネットワーク層アドレスを調べるように構成されている、
付記４記載の通信装置。
【０１４７】
（付記６）
前記コントローラは、前記基地局が関わるＸ２手順において前記基地局を識別するために、前記取得された識別子を前記追跡エリアコードと組み合わせて用いるように構成されている、
付記１から５のいずれか１項に記載の通信装置。
【０１４８】
（付記７）
前記コントローラは、前記基地局に関連する自動近隣関係（ＡＮＲ）手順、前記基地局に関連するオペレーション保守（O＆M）手順、前記基地局に関連するＳ１手順、前記基地局に関連するＸｗ手順、前記基地局に関連するＭ２手順、及び、前記基地局に関連する進化型サービングモバイルロケーションセンタ（Ｅ−ＳＭＬＣ）手順の少なくとも１つにおいて、前記基地局を識別するために、前記取得された識別子を前記追跡エリアコードと共に用いるように構成されている、
付記１から６のいずれか１項に記載の通信装置。
【０１４９】
（付記８）
前記コントローラは、前記後続の手順の一部として、前記取得された識別子及び前記追跡エリアコードを含むシグナリングメッセージを生成するように構成され、
前記追跡エリアコードは、前記取得された識別子にマッチする他の識別子を有する他の基地局から前記取得された識別子に関連する前記基地局を区別するために用意された、適切にフォーマットされた情報要素内に置かれる、
付記１から７のいずれか１項に記載の通信装置。
【０１５０】
（付記９）
前記取得された識別子及び前記追跡エリアコードは、自動近隣関係（ＡＮＲ：automatic neighbour relation）テーブルにおいて互いに関連づけられて記憶され、前記取得された識別子にマッチする他の識別子を有する他の基地局から前記取得された識別子に関連する前記基地局を区別するために前記追跡エリアコードが用いられるように、用意される、
付記１から８のいずれか１項に記載の通信装置。
【０１５１】
（付記１０）
前記通信装置は、移動管理エンティティ（ＭＭＥ）、オペレーション保守（O＆M）エンティティ、Ｘ２ゲートウェイ、マルチセル／マルチキャストコーディネーションエンティティ（ＭＣＥ）、進化型サービングモバイルロケーションセンタ（Ｅ−ＳＭＬＣ）、及び、無線ローカルエリアネットワーク（ＷＬＡＮ）終端ノードのうちの１つを有する、
付記１記載の通信装置。
【０１５２】
（付記１１）
付記１から１０のいずれか１項に記載の通信装置と、
少なくとも１つのユーザ機器と、
を具備するシステム。
【０１５３】
（付記１２）
通信ネットワークのための通信装置によって実行される方法であって、
ｉ）基地局及び前記基地局のセルの少なくとも１つを識別するための識別子、並びに、ｉｉ）前記識別子に関連する前記基地局を含む複数の基地局が動作する、エリアに関連づけられた追跡エリアコードを取得し、
前記基地局に関連する後続の手順において前記基地局を識別するために、前記取得された識別子を前記追跡エリアコードと組み合わせて用いる、
方法。
【０１５４】
（付記１３）
プログラマブルコンピュータデバイスに付記１２記載の方法を実行させる、コンピュータが実行可能な命令群を有する、コンピュータプログラム。
【０１５５】
本発明をその例示的な実施形態を参照して具体的に示し説明したが、本発明はこれらの実施形態に限定されない。当業者であれば、特許請求の範囲によって規定される本発明の思想及び範囲から逸脱することなく、形態及び詳細の様々な変更を行うことができることが理解されよう。
【０１５６】
本出願は、２０１６年５月２３日に出願された英国出願１６０９０５２．４を基礎とする優先権を主張し、その開示の全てをここに取り込む。
【図１】
2019517226.tif 000034
【図２】
2019517226.tif 000035
【図３】
2019517226.tif 000036
【図４】
2019517226.tif 000037
【図５】
2019517226.tif 000038
【図６】
2019517226.tif 000039
【図７】
2019517226.tif 000040
【図８】
2019517226.tif 000041
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
通信ネットワークのための通信装置によって実行される方法であって、
ｉ）基地局及び前記基地局のセルの少なくとも１つを識別するための識別子、並びに、ｉｉ）前記識別子に関連する前記基地局を含む複数の基地局が動作する、追跡エリアに関連づけられた追跡エリアコードを取得し、
前記追跡エリア内の前記基地局を一意的に識別するために、前記取得された識別子を前記追跡エリアコードと組み合わせて用いる、
方法。
【請求項２】
前記通信装置は、前記識別子及び前記追跡エリアコードが関連する前記基地局を有する、
請求項１記載の方法。
【請求項３】
前記通信装置は、第１基地局を具備し、
前記方法は、ｉ）第２基地局及び前記第２基地局のセルのうちの少なくとも１つを識別するための他の識別子と、ｉｉ）前記他の識別子が関連する前記第２基地局を含む複数の基地局が動作するエリアに関連づけられた、他の追跡エリアコードとを取得する、ことを含む、
請求項２記載の方法。
【請求項４】
前記通信装置は、第１基地局を具備し、
前記識別子及び前記追跡エリアコードに関連する前記基地局は、第２基地局である、
請求項１記載の方法。
【請求項５】
前記取得された識別子及び追跡エリアコードの両方に基づいて、前記第２基地局のためのトランスポートネットワーク層アドレスを調べることを含む、
請求項４記載の方法。
【請求項６】
前記基地局が関わるＸ２手順において前記基地局を識別するために、前記取得された識別子を前記追跡エリアコードと共に用いることを含む、
請求項１から５のいずれか１項に記載の方法。
【請求項７】
前記基地局に関連する自動近隣関係（ＡＮＲ）手順、前記基地局に関連するオペレーション保守（O＆M）手順、前記基地局に関連するＳ１手順、前記基地局に関連するＸｗ手順、前記基地局に関連するＭ２手順、及び、前記基地局に関連する進化型サービングモバイルロケーションセンタ（Ｅ−ＳＭＬＣ）手順の少なくとも１つにおいて、前記基地局を識別するために、前記取得された識別子を前記追跡エリアコードと共に用いることを含む、
請求項１から６のいずれか１項に記載の方法。
【請求項８】
後続の手順の一部として、前記取得された識別子及び前記追跡エリアコードを含むシグナリングメッセージを生成することを含み、
前記追跡エリアコードは、前記取得された識別子にマッチする他の識別子を有する他の基地局から前記取得された識別子に関連する前記基地局を区別するために用意された、適切にフォーマットされた情報要素内に置かれる、
請求項１から７のいずれか１項に記載の方法。
【請求項９】
前記取得された識別子及び前記追跡エリアコードは、自動近隣関係（ＡＮＲ）テーブルにおいて互いに関連づけられて記憶され、前記取得された識別子にマッチする他の識別子を有する他の基地局から前記取得された識別子に関連する前記基地局を区別するために前記追跡エリアコードが用いられるように、用意される、
請求項１から８のいずれか１項に記載の方法。
【請求項１０】
通信ネットワークのための通信装置であって、
ｉ）基地局及び前記基地局のセルの少なくとも１つを識別するための識別子、並びに、ｉｉ）前記識別子に関連する前記基地局を含む複数の基地局が動作する、追跡エリアに関連づけられた追跡エリアコードを取得し、
前記追跡エリア内の前記基地局を一意的に識別するために、前記取得された識別子を前記追跡エリアコードと組み合わせて用いる、
ように構成されたコントローラを具備する、
通信装置。
【国際調査報告】
2019517226.tif 000042
2019517226.tif 000043
2019517226.tif 000044